(57)【要約】  移動通信方法は、ＵＥ１０とｅＮＢ１１０との間でＲＲＣコネクションが設定されたＲＲＣコネクティッド状態において、サービング基地局から送信される下り方向信号を監視すべきオン期間及び前記オン期間以外のオフ期間を有するＤＲＸ周期を構成する。移動通信方法は、ｅＮＢ１１０が、ＵＥ１０に対してＤＲＸ周期が構成されている場合に、オフ期間において、ＵＥ１０の着信を通知するページング信号を所定タイミングでＵＥ１０に送信する工程Ａと、ＵＥ１０が、ＤＲＸ周期が構成されている場合に、オフ期間において、所定タイミングでページング信号を監視する工程Ｂとを含む。
2012137296.tif 000002
【特許請求の範囲】
【請求項１】
無線端末と無線基地局との間でＲＲＣコネクションが設定されたＲＲＣコネクティッド状態において、サービング基地局から送信される下り方向信号を監視すべきオン期間及び前記オン期間以外のオフ期間を有するＤＲＸ周期を構成する移動通信方法であって、
前記無線基地局が、前記無線端末に対して前記ＤＲＸ周期が構成されている場合に、前記オフ期間において、前記無線端末の着信を通知するページング信号を所定タイミングで前記無線端末に送信する工程Ａと、
前記無線端末が、前記ＤＲＸ周期が構成されている場合に、前記オフ期間において、前記所定タイミングで前記ページング信号を監視する工程Ｂとを含むことを特徴とする移動通信方法。
【請求項２】
前記無線端末が、前記ページング信号の受信に応じて、前記ＤＲＸ周期を解除する工程Ｃを含むことを特徴とする請求項１に記載の移動通信方法。
【請求項３】
前記工程Ｃは、前記無線端末が、前記ＤＲＸ周期を解除して、前記下り方向信号を連続的に監視する工程を含むことを特徴とする請求項１に記載の移動通信方法。
【請求項４】
前記工程Ｃは、前記無線端末が、前記ＤＲＸ周期を解除して、前記ＤＲＸ周期よりも短いＤＲＸ周期を構成する工程を含むことを特徴とする請求項１に記載の移動通信方法。
【請求項５】
前記工程Ｃは、前記無線端末が、前記ページング信号の受信に応じて、前記無線基地局に対する再接続手順を開始する工程を含むことを特徴とする請求項１に記載の移動通信方法。
【請求項６】
無線端末と無線基地局との間でＲＲＣコネクションが設定されたＲＲＣコネクティッド状態において、サービング基地局から送信される下り方向信号を監視すべきオン期間及び前記オン期間以外のオフ期間を有するＤＲＸ周期を構成する移動通信システムにおいて、前記下り方向信号を受信する無線端末であって、
前記ＤＲＸ周期が構成されている場合に、前記オフ期間において、所定タイミングでページング信号を監視する制御部を備えることを特徴とする無線端末。
【発明の詳細な説明】
【技術分野】
【０００１】
本発明は、サービングセルから送信される下り方向信号を監視すべきオン期間及びオン期間以外のオフ期間を有するＤＲＸ周期（間欠受信周期）を構成する移動通信方法及び無線端末に関する。
【背景技術】
【０００２】
ＬＴＥ（Ｌｏｎｇ  Ｔｅｒｍ  Ｅｖｏｌｕｔｉｏｎ）などの次世代通信システムでは、無線端末の消費電力を低減するために、ＤＲＸ（Ｄｉｓｃｏｎｔｉｎｕｏｕｓ  Ｒｅｃｅｐｔｉｏｎ）と称される技術が採用されている（例えば、非特許文献１）。【０００３】
ＤＲＸでは、ＤＲＸ周期（ＤＲＸ  Ｃｙｃｌｅ）内において、サービングセルから送信される下り方向信号（例えば、ＰＤＣＣＨ：Ｐｈｙｓｉｃａｌ  Ｄｏｗｎｌｉｎｋ  Ｃｏｎｔｒｏｌ  Ｃｈａｎｎｅｌ）を監視すべきオン期間（Ｏｎ  ｄｕｒａｔｉｏｎ）及びオン期間以外のオフ期間（Ｏｐｐｏｒｔｕｎｉｔｙ  ｆｏｒ  ＤＲＸ）が設けられる。無線基地局は、無線端末がオン期間である期間においてのみ、無線端末宛の専用信号を送信する。このように、無線端末は、オン期間においてのみ、無線基地局から送信される下り方向信号を監視すればよいように構成されており、オフ期間において受信機の電源を落としていると考えられる。なお、ＤＲＸ周期としては、２つの周期（ショートＤＲＸ周期及びロングＤＲＸ周期）を構成可能である。また、ＤＲＸモードは、無線端末と無線基地局との間でＲＲＣコネクションが設定された状態（ＲＲＣコネクティッド状態）において構成可能である。すなわち、ＤＲＸ周期のオフ期間は、ＲＲＣアイドル状態とは異なることに留意すべきである。なお、３ＧＰＰ規格においては、ロングＤＲＸ周期がマンダトリーであり、ショートＤＲＸ周期がオプショナルである。【０００４】
ところで、近年では、様々なアプリケーションを搭載する無線端末が増加している。アプリケーションは、サーバなどの通信相手に対して、キープアライブメッセージや状態更新メッセージなどの所定メッセージを定期的に送受信するように構成される。このようなケースでは、所定メッセージの送受信の度に、ＲＲＣ状態の遷移に起因する制御信号の送受信が発生するため、ネットワークリソースの逼迫が生じる。【０００５】
これに対して、このようなネットワークリソースの逼迫を防ぐために、既存のＤＲＸ周期（例えば、ショートＤＲＸ周期及びロングＤＲＸ周期）よりも長い周期（例えば、拡張ＤＲＸ周期）のＤＲＸ周期を設けることが検討されている（例えば、非特許文献２）。
【先行技術文献】
【非特許文献】
【０００６】
【非特許文献１】ＴＳ３６．３２１  Ｖ１０．０．０
【非特許文献１】ＲＰ−１１０４５４
【発明の概要】
【発明が解決しようとする課題】
【０００７】
ところで、拡張ＤＲＸ周期としては数秒間以上の周期が想定されており、拡張ＤＲＸ周期は、ショートＤＲＸ周期及びロングＤＲＸ周期などと比べて非常に長い。従って、拡張ＤＲＸ周期のオフ期間も非常に長いことが想定される。【０００８】
従って、拡張ＤＲＸ周期が構成される場合において、様々な対策が必要であると考えられる。例えば、オフ期間において着信処理ができないため、着信処理の遅延が大きくなる。【０００９】
そこで、本発明は、上述した課題を解決するためになされたものであり、拡張ＤＲＸ周期などのＤＲＸ周期が構成される場合において、オフ期間の長期化に伴う問題を抑制することを可能とする移動通信方法及び無線端末を提供することを目的とする。
【課題を解決するための手段】
【００１０】
第１の特徴に係る移動通信方法は、無線端末と無線基地局との間でＲＲＣコネクションが設定されたＲＲＣコネクティッド状態において、サービング基地局から送信される下り方向信号を監視すべきオン期間及び前記オン期間以外のオフ期間を有するＤＲＸ周期を構成する。移動通信方法は、前記無線基地局が、前記無線端末に対して前記ＤＲＸ周期が構成されている場合に、前記オフ期間であっても、前記無線端末の着信を通知するページング信号を所定タイミングで前記無線端末に送信する工程Ａと、前記無線端末が、前記ＤＲＸ周期が構成されている場合に、前記オフ期間において、前記所定タイミングで前記ページング信号を監視する工程Ｂとを含む。【００１１】
第１の特徴において、移動通信方法は、前記無線端末が、前記ページング信号の受信に応じて、前記ＤＲＸ周期を解除する工程Ｃを含む。【００１２】
第１の特徴において、前記工程Ｃは、前記無線端末が、前記ＤＲＸ周期を解除して、前記下り方向信号を連続的に監視する工程を含む。【００１３】
第１の特徴において、前記工程Ｃは、前記無線端末が、前記ＤＲＸ周期を解除して、前記ＤＲＸ周期よりも短いＤＲＸ周期を構成する工程を含む。【００１４】
第１の特徴において、前記工程Ｃは、前記無線端末が、前記ページング信号の受信に応じて、前記無線基地局に対する再接続手順を開始する工程を含む。【００１５】
第２の特徴に係る無線端末は、移動通信システムにおいて、下り方向信号を受信する。移動通信システムは、無線端末と無線基地局との間でＲＲＣコネクションが設定されたＲＲＣコネクティッド状態において、サービング基地局から送信される下り方向信号を監視すべきオン期間及び前記オン期間以外のオフ期間を有するＤＲＸ周期を構成する。無線端末は、前記ＤＲＸ周期が構成されている場合に、前記オフ期間において、所定タイミングでページング信号を監視する制御部を備える。
【図面の簡単な説明】
【００１６】
【図１】図１は、第１実施形態に係る移動通信システム１００を示す図である。
【図２】図２は、第１実施形態に係る無線フレームを示す図である。
【図３】図３は、第１実施形態に係る無線リソースを示す図である。
【図４】図４は、第１実施形態に係るショートＤＲＸ周期を示す図である。
【図５】図５は、第１実施形態に係るロングＤＲＸ周期を示す図である。
【図６】図６は、第１実施形態に係る拡張ＤＲＸ周期を示す図である。
【図７】図７は、第１実施形態に係るＵＥ１０を示すブロック図である。
【図８】図８は、第１実施形態に係る移動通信方法を示すシーケンス図である。
【発明を実施するための形態】
【００１７】
以下において、本発明の実施形態に係る移動通信システムについて、図面を参照しながら説明する。なお、以下の図面の記載において、同一又は類似の部分には、同一又は類似の符号を付している。
【００１８】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１９】
［実施形態の概要］
実施形態に係る移動通信方法は、無線端末と無線基地局との間でＲＲＣコネクションが設定されたＲＲＣコネクティッド状態において、サービング基地局から送信される下り方向信号を監視すべきオン期間及び前記オン期間以外のオフ期間を有するＤＲＸ周期を構成する。移動通信方法は、前記無線基地局が、前記無線端末に対して前記ＤＲＸ周期が構成されている場合に、前記オフ期間であっても、前記無線端末の着信を通知するページング信号を所定タイミングで前記無線端末に送信する工程Ａと、前記無線端末が、前記ＤＲＸ周期が構成されている場合に、前記オフ期間において、前記所定タイミングで前記ページング信号を監視する工程Ｂとを含む。
【００２０】
実施形態では、無線基地局は、ＲＲＣコネクティッド状態でＤＲＸ周期が構成されている場合において、前記オフ期間であっても、ページング信号を所定のタイミングで送信し、無線端末は、ＲＲＣコネクティッド状態で構成されたＤＲＸ周期のオフ期間において、ページング信号を所定のタイミングで監視する。
【００２１】
これによって、非常に長いＤＲＸ周期が構成されたとしても、オフ期間においてページング信号を受信することによって、着信処理を行うことができる。
【００２２】
［第１実施形態］
（移動通信システム）
以下において、第１実施形態に係る移動通信システムについて説明する。図１は、第１実施形態に係る移動通信システム１００を示す図である。
【００２３】
図１に示すように、移動通信システム１００は、携帯端末１０（以下、ＵＥ１０）と、コアネットワーク５０とを含む。また、移動通信システム１００は、第１通信システムと第２通信システムとを含む。
【００２４】
第１通信システムは、例えば、ＬＴＥ（Ｌｏｎｇ  Ｔｅｒｍ  Ｅｖｏｌｕｔｉｏｎ）に対応する通信システムである。第１通信システムは、例えば、無線基地局１１０（以下、ｅＮＢ１１０）と、ＭＭＥ１２０とを有する。なお、第１通信システムでは、第１ＲＡＴ（ＥＵＴＲＡＮ；Ｅｖｏｌｖｅｄ  Ｕｎｉｖｅｒｓａｌ  Ｔｅｒｒｅｓｔｒｉａｌ  Ａｃｃｅｓｓ  Ｎｅｔｗｏｒｋ）が用いられる。
【００２５】
第２通信システムは、例えば、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）に対応する通信システムである。第２通信システムは、無線基地局２１０と、ＲＮＣ２２０と、ＳＧＳＮ２３０とを有する。なお、第２通信システムでは、第２ＲＡＴ（ＵＴＲＡＮ；Ｕｎｉｖｅｒｓａｌ  Ｔｅｒｒｅｓｔｒｉａｌ  Ａｃｃｅｓｓ  Ｎｅｔｗｏｒｋ）が用いられる。
【００２６】
ＵＥ１０は、第１通信システム及び第２通信システムと通信を行うように構成された装置（Ｕｓｅｒ  Ｅｑｕｉｐｍｅｎｔ）である。例えば、ＵＥ１０は、ｅＮＢ１１０と無線通信を行う機能を有するとともに、無線基地局２１０と無線通信を行う機能を有する。
【００２７】
ｅＮＢ１１０は、セル１１１を有しており、セル１１１に存在するＵＥ１０と無線通信を行う装置（ｅｖｏｌｖｅｄ  ＮｏｄｅＢ）である。
【００２８】
ＭＭＥ１２０は、ｅＮＢ１１０と無線接続を設定しているＵＥ１０の移動性を管理する装置（Ｍｏｂｉｌｉｔｙ  Ｍａｎａｇｅｍｅｎｔ  Ｅｎｔｉｔｙ）である。ＭＭＥ１２０は、コアネットワーク５０に設けられる。
【００２９】
無線基地局２１０は、セル２１１を有しており、セル２１１に存在するＵＥ１０と無線通信を行う装置（ＮｏｄｅＢ）である。
【００３０】
ＲＮＣ２２０は、無線基地局２１０に接続されており、セル２１１に存在するＵＥ１０と無線接続（ＲＲＣ  Ｃｏｎｎｅｃｔｉｏｎ）を設定する装置（Ｒａｄｉｏ  Ｎｅｔｗｏｒｋ  Ｃｏｎｔｒｏｌｌｅｒ）である。
【００３１】
ＳＧＳＮ２３０は、パケット交換ドメインにおいてパケット交換を行う装置（Ｓｅｒｖｉｎｇ  ＧＰＲＳ  Ｓｕｐｐｏｒｔ  Ｎｏｄｅ）である。ＳＧＳＮ２３０は、コアネットワーク５０に設けられる。図１では省略しているが、回線交換ドメインにおいて回線交換を行う装置（ＭＳＣ；Ｍｏｂｉｌｅ  Ｓｗｉｔｃｈｉｎｇ  Ｃｅｎｔｅｒ）がコアネットワーク５０に設けられていてもよい。
【００３２】
なお、以下においては、第１通信システムについて主として説明する。但し、以下の記載が第２通信システムに適用されてもよい。また、セルは、ＵＥ１０と無線通信を行う機能として理解すべきである。但し、セルは、セルと通信可能な範囲を示すサービスエリアと考えてもよい。
【００３３】
ここで、第１通信システムでは、下り方向の多重方式として、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式が用いられており、上り方向の多重方式として、ＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式が用いられる。
【００３４】
また、第１通信システムでは、上り方向のチャネルとして、上り方向制御チャネル（ＰＵＣＣＨ；Ｐｈｙｓｉｃａｌ  Ｕｐｌｉｎｋ  Ｃｏｎｔｒｏｌ  Ｃｈａｎｎｅｌ）及び上り方向共有チャネル（ＰＵＳＣＨ；Ｐｈｙｓｉｃａｌ  Ｕｐｌｉｎｋ  Ｓｈａｒｅｄ  Ｃｈａｎｎｅｌ）などが存在する。また、下り方向のチャネルとして、下り方向制御チャネル（ＰＤＣＣＨ；Ｐｈｙｓｉｃａｌ  Ｄｏｗｎｌｉｎｋ  Ｃｏｎｔｒｏｌ  Ｃｈａｎｎｅｌ）及び下り方向共有チャネル（ＰＤＳＣＨ；Ｐｈｙｓｉｃａｌ  Ｄｏｗｎｌｉｎｋ  Ｓｈａｒｅｄ  Ｃｈａｎｎｅｌ）などが存在する。
【００３５】
上り方向制御チャネルは、制御信号を搬送するチャネルである。制御信号は、例えば、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）、ＳＲ（Ｓｃｈｅｄｕｌｉｎｇ  Ｒｅｑｕｅｓｔ）、ＡＣＫ／ＮＡＣＫなどである。
【００３６】
ＣＱＩは、下り方向の伝送に使用すべき推奨変調方式と符号化速度を通知する信号である。ＰＭＩは、下り方向の伝送の為に使用することが望ましいプリコーダマトリックスを示す信号である。ＲＩは、下り方向の伝送に使用すべきレイヤ数（ストリーム数）を示す信号である。ＳＲは、上り方向無線リソース（後述するリソースブロック）の割当てを要求する信号である。ＡＣＫ／ＮＡＣＫは、下り方向のチャネル（例えば、ＰＤＳＣＨ）を介して送信される信号を受信できたか否かを示す信号である。
【００３７】
上り方向共有チャネルは、制御信号（上述した制御信号を含む）又は／及びデータ信号を搬送するチャネルである。例えば、上り方向無線リソースは、データ信号にのみ割当てられてもよく、データ信号及び制御信号が多重されるように割当てられてもよい。
【００３８】
下り方向制御チャネルは、制御信号を搬送するチャネルである。制御信号は、例えば、Ｕｐｌｉｎｋ  ＳＩ（Ｓｃｈｅｄｕｌｉｎｇ  Ｉｎｆｏｒｍａｔｉｏｎ）、Ｄｏｗｎｌｉｎｋ  ＳＩ（Ｓｃｈｅｄｕｌｉｎｇ  Ｉｎｆｏｒｍａｔｉｏｎ）、ＴＰＣビットである。
【００３９】
Ｕｐｌｉｎｋ  ＳＩは、上り方向無線リソースの割当てを示す信号である。Ｄｏｗｎｌｉｎｋ  ＳＩは、下り方向無線リソースの割当てを示す信号である。ＴＰＣビットは、上り方向のチャネルを介して送信される信号の電力の増減を指示する信号である。
【００４０】
下り方向共有チャネルは、制御信号又は／及びデータ信号を搬送するチャネルである。例えば、下り方向無線リソースは、データ信号にのみ割当てられてもよく、データ信号及び制御信号が多重されるように割当てられてもよい。
【００４１】
なお、下り方向共有チャネルを介して送信される制御信号としては、ＴＡ（Ｔｉｍｉｎｇ  Ａｄｖａｎｃｅ）が挙げられる。ＴＡは、ＵＥ１０とｅＮＢ１１０との間の送信タイミング補正情報であり、ＵＥ１０から送信される上り方向信号に基づいてｅＮＢ１１０によって測定される。
【００４２】
また、下り方向制御チャネル（ＰＤＣＣＨ）下り方向共有チャネル（ＰＤＳＣＨ）以外のチャネルを介して送信される制御信号としては、ＡＣＫ／ＮＡＣＫが挙げられる。ＡＣＫ／ＮＡＣＫは、上り方向のチャネル（例えば、ＰＵＳＣＨ）を介して送信される信号を受信できたか否かを示す信号である。
【００４３】
（無線フレーム）
以下において、第１通信システムにおける無線フレームについて説明する。図２は、第１通信システムにおける無線フレームを示す図である。
【００４４】
図２に示すように、１つの無線フレームは、１０のサブフレームによって構成されており、１つのサブフレームは、２つのスロットによって構成される。１つのスロットの時間長は、０．５ｍｓｅｃであり、１つのサブフレームの時間長は、１ｍｓｅｃであり、１つの無線フレームの時間長は、１０ｍｓｅｃである。
【００４５】
なお、１つのスロットは、下り方向において、複数のＯＦＤＭシンボル（例えば、６つのＯＦＤＭシンボル或いは７つのＯＦＤＭシンボル）によって構成される。同様に、１つのスロットは、上り方向において、複数のＳＣ−ＦＤＭＡシンボル（例えば、６つのＳＣ−ＦＤＭＡシンボル或いは７つのＳＣ−ＦＤＭＡシンボル）によって構成される。
【００４６】
（無線リソース）
以下において、第１通信システムにおける無線リソースについて説明する。図３は、第１通信システムにおける無線リソースを示す図である。
【００４７】
図３に示すように、無線リソースは、周波数軸及び時間軸によって定義される。周波数は、複数のサブキャリアによって構成されており、所定数のサブキャリア（１２のサブキャリア）を纏めてリソースブロック（ＲＢ：Ｒｅｓｏｕｒｃｅ  Ｂｌｏｃｋ）と称する。時間は、上述したように、ＯＦＤＭシンボル（又は、ＳＣ−ＦＤＭＡシンボル）、スロット、サブフレーム、無線フレームなどの単位を有する。
【００４８】
ここで、無線リソースは、１リソースブロック毎に割当て可能である。また、周波数軸及び時間軸上において、複数のユーザ（例えば、ユーザ＃１〜ユーザ＃５）に対して分割して無線リソースを割当てることが可能である。
【００４９】
また、無線リソースは、ｅＮＢ１１０によって割当てられる。ｅＮＢ１１０は、ＣＱＩ、ＰＭＩ、ＲＩなどに基づいて、各ＵＥ１０に割当てられる。
【００５０】
（間欠受信）
以下において、間欠受信（ＤＲＸ；Ｄｉｓｃｏｎｔｉｎｕｏｕｓ  Ｒｅｃｅｐｔｉｏｎ）について説明する。図４〜図６は、間欠受信について説明するための図である。ＵＥ１０は、消費電力を抑制するために、間欠受信を構成することが可能である。なお、ここでは、ＵＥ１０とｅＮＢ１１０との間でＲＲＣコネクションが設定された状態（ＲＲＣコネクティッド状態）において間欠受信が構成されるケースについて説明する。
【００５１】
図４〜図６に示すように、間欠受信（ＤＲＸ）では、ＤＲＸ周期（ＤＲＸ  Ｃｙｃｌｅ）内において、サービングセルから送信される下り方向信号を監視すべきオン期間（Ｏｎ  ｄｕｒａｔｉｏｎ）及びオン期間以外のオフ期間（Ｏｐｐｏｒｔｕｎｉｔｙ  ｆｏｒ  ＤＲＸ）が設けられる。ｅＮＢ１１０は、ＵＥ１０がオン期間である期間においてのみ、ＵＥ１０宛の専用信号を送信する。このように、ＵＥ１０は、オン期間においてのみ、ｅＮＢ１１０から送信される下り方向信号（例えば、ＰＤＣＣＨ：Ｐｈｙｓｉｃａｌ  Ｄｏｗｎｌｉｎｋ  Ｃｏｎｔｒｏｌ  Ｃｈａｎｎｅｌ）を監視すればよいように構成されており、オフ期間において受信機の電源を落としていると考えられる。
【００５２】
なお、ＤＲＸ周期としては、複数種類の周期を構成することが可能である。ここでは、３つのＤＲＸ周期（ショートＤＲＸ周期、ロングＤＲＸ周期、拡張ＤＲＸ周期）について説明する。
【００５３】
図４に示すように、ショートＤＲＸ周期は、短い周期である。ショートＤＲＸ周期の長さは、特に限定されるものではないが、数ミリ秒オーダー（例えば、８０ｍｓｅｃ）である。
【００５４】
例えば、ショートＤＲＸ周期は、ｅＮＢ１１０から受信する指示（ＤＲＸ  Ｃｏｍｍａｎｄ）に応じて構成される。或いは、ショートＤＲＸ周期は、下り方向信号（例えば、ＰＤＣＣＨ）を最後に受信してから所定期間が経過した場合に構成される。なお、ショートＤＲＸ周期はオプションであり、ショートＤＲＸ周期が設定されないこともある。
【００５５】
図５に示すように、ロングＤＲＸ周期は、ショートＤＲＸ周期よりも長い周期である。ロングＤＲＸ周期の長さは、特に限定されるものではないが、数ミリ秒オーダー（例えば、１６０ｍｓｅｃ）である。
【００５６】
例えば、ロングＤＲＸ周期を構成する際には、ｅＮＢ１１０から構成パラメータ（ＤＲＸ  Ｃｏｎｆｉｇ．）が通知される。ロングＤＲＸ周期は、下り方向信号（例えば、ＰＤＣＣＨ）を最後に受信してから所定期間が経過した場合に構成される。或いは、ロングＤＲＸ周期は、ショートＤＲＸ周期が構成されてから所定期間が経過した場合に構成される。
【００５７】
図６に示すように、拡張ＤＲＸ周期は、ロングＤＲＸ周期よりも長い周期である。拡張ＤＲＸ周期の長さは、特に限定されるものではないが、ショートＤＲＸ周期及びロングＤＲＸ周期よりも非常に長い周期であり、例えば、数秒オーダーである。例えば、拡張ＤＲＸ周期は、ＵＥ１０とｅＮＢ１１０との間でＲＲＣコネクションが設定されていない状態（ＲＲＣアイドル状態）において、ＵＥ１０の着信を通知するページング信号を監視する周期（Ｐａｇｉｎｇ  Ｃｈａｎｎｅｌ  Ｍｏｎｉｔｏｒｉｎｇ  Ｃｙｃｌｅ）と同等である。或いは、拡張ＤＲＸ周期は、ＲＲＣアイドル状態において、ＵＥ１０の着信を通知するページング信号を監視する周期よりも長い。
【００５８】
例えば、拡張ＤＲＸ周期を構成する際には、ｅＮＢ１１０から構成パラメータ（ＤＲＸ  Ｃｏｎｆｉｇ．）が通知される。拡張ＤＲＸ周期は、ＵＥ１０からの要求に対するｅＮＢ１１０の許可に応じて構成される。或いは、拡張ＤＲＸ周期は、下り方向信号（例えば、ＰＤＣＣＨ）を最後に受信してから所定期間が経過した場合に構成される。或いは、拡張ＤＲＸ周期は、ショートＤＲＸ周期又はロングＤＲＸ周期が構成されてから所定期間が経過した場合に構成される。また、他の例では、ＵＥ１０が予め静的な構成パラメータを知っており、拡張ＤＲＸ周期は、ＵＥ１０からの要求に対するｅＮＢ１１０の許可に応じて構成されてもよい。
【００５９】
なお、様々なアプリケーションを搭載するＵＥ１０の増加に伴って、所定メッセージの送受信の増加に起因するＲＲＣ状態の遷移が増加する。これによって、ＲＡＣＨ（Ｒａｎｄｏｍ  Ａｃｃｅｓｓ  Ｃｈａｎｎｅｌ）等の無線リソースの逼迫が予想されるため、ＵＥ１０の頻繁なＲＲＣ状態の遷移を抑制して、ネットワークリソースの逼迫を抑制するために拡張ＤＲＸ周期が構成される。なお、所定メッセージは、ＵＥ１０に搭載される様々なアプリケーションが通信相手に送信するメッセージ（キープアライブメッセージや状態更新メッセージ）などである。
【００６０】
（無線端末）
以下において、第１実施形態に係る無線端末について説明する。図７は、第１実施形態に係るＵＥ１０を示すブロック図である。図７に示すように、ＵＥ１０は、通信部１１と、制御部１２とを有する。
【００６１】
通信部１１は、ｅＮＢ１１０（或いは、無線基地局２１０）から信号を受信する。或いは、通信部１１は、ｅＮＢ１１０（或いは、無線基地局２１０）に信号を送信する。なお、通信部１１は、例えば、アンテナ（ＭＩＭＯが用いられる場合には、複数のアンテナ）、復調部、変調部などを有する。
【００６２】
制御部１２は、ＵＥ１０を制御する。例えば、制御部１２は、間欠受信（ＤＲＸ）が構成された場合において、通信部１１のオン／オフを制御する。すなわち、制御部１２は、サービングセルから送信される下り方向信号を監視すべきオン期間において、通信部１１をオンにして、ｅＮＢ１１０から送信される下り方向信号（例えば、ＰＤＣＣＨ）を監視する。制御部１２は、サービングセルから送信される下り方向信号を監視すべきオン期間以外のオフ期間において、通信部１１をオフにして、ｅＮＢ１１０から送信される下り方向信号（例えば、ＰＤＣＣＨ）を監視しない。
【００６３】
詳細には、制御部１２は、ＲＲＣコネクティッド状態でＤＲＸ周期が構成された場合に、サービングセルから送信される下り方向信号を監視すべきオン期間以外の期間（すなわち、オフ期間）において、所定タイミングでページング信号を監視する。なお、所定タイミングは、ＰＯ（Ｐａｇｉｎｇ  Ｏｃｃａｓｉｏｎ）と称されることもあり、１以上のサブフレームによって構成される。なお、制御部１２は、ＲＲＣコネクティッド状態で構成されたＤＲＸ周期のオン期間において、ＰＤＣＣＨを監視しているので、ページング信号を受信することが可能であることは勿論である。
【００６４】
なお、従来技術では、ＲＲＣコネクティッド状態のＵＥ１０に対しては、ページング信号が送信されないことに留意すべきである。第１実施形態では、ｅＮＢ１１０は、ＲＲＣコネクティッド状態で構成されたＤＲＸ周期のオフ期間において、ページング信号を所定のタイミングでＵＥ１０に送信することに留意すべきである。
【００６５】
ここで、制御部１２は、拡張ＤＲＸ周期が構成された場合にのみ、オフ期間において、ページング信号を監視してもよい。すなわち、制御部１２は、ショートＤＲＸ周期及びロングＤＲＸ周期が構成された場合には、オフ期間において、ページング信号を監視しなくてもよい。
【００６６】
また、制御部１２は、ページング信号の受信に応じてＤＲＸ周期を解除する。例えば、制御部１２は、ＤＲＸ周期を解除して、下り方向信号を連続的に監視するモードに移行してもよい。或いは、制御部１２は、ＤＲＸ周期（例えば、拡張ＤＲＸ周期）を解除して、ＤＲＸ周期よりも短いＤＲＸ周期（例えば、ショートＤＲＸ周期及びロングＤＲＸ周期）を構成してもよい。或いは、制御部１２は、ＤＲＸ周期を解除して、ｅＮＢ１１０に対する再接続手順（Ｒｅｅｓｔａｂｌｉsｈ  Ｐｒｏｃｅｄｕｒｅ）を開始してもよい。
【００６７】
（移動通信方法）
以下において、第１実施形態に係る移動通信方法について説明する。図８は、第１実施形態に係る移動通信方法を示すシーケンス図である。
【００６８】
図８に示すように、ステップ１０において、ＵＥ１０は、接続要求（ＲＲＣ  Ｃｏｎｎｅｃｔｉｏｎ  Ｒｅｑｕｅｓｔ）をｅＮＢ１１０に送信する。
【００６９】
ステップ２０において、ｅＮＢ１１０は、接続設定（ＲＲＣ  Ｃｏｎｎｅｃｔｉｏｎ  Ｓｅｔｕｐ）をＵＥ１０に送信する。
【００７０】
ステップ３０において、ＵＥ１０は、接続完了（ＲＲＣ  Ｃｏｎｎｅｃｔｉｏｎ  Ｃｏｍｐｌｅｔｅ）をｅＮＢ１１０に送信する。
【００７１】
ステップ４０において、ＵＥ１０は、ＤＲＸを構成する。例えば、ＵＥ１０は、拡張ＤＲＸ周期を構成する。
【００７２】
ステップ５０Ａ〜ステップ５０Ｃにおいて、ＵＥ１０は、サービングセルから送信される下り方向信号を監視すべきオン期間以外の期間（すなわち、オフ期間）において、所定タイミングでページング信号を監視する。
【００７３】
ステップ６０において、ＵＥ１０は、サービングセルから送信される下り方向信号を監視すべきオン期間において、下り方向信号（例えば、ＰＤＣＣＨ）を監視する。
【００７４】
ステップ７０において、ｅＮＢ１１０は、サービングセルから送信される下り方向信号を監視すべきオン期間以外の期間（すなわち、オフ期間）において、所定タイミングでページング信号を送信する。
【００７５】
ステップ８０において、ＵＥ１０は、サービングセルから送信される下り方向信号を監視すべきオン期間において、所定タイミングでページング信号を監視する。また、ＵＥ１０は、ページング信号を受信する。
【００７６】
ステップ９０において、ＵＥ１０は、ページング信号の受信に応じてＤＲＸ周期を解除する。例えば、ＵＥ１０は、ＤＲＸ周期を解除して、下り方向信号を連続的に監視するモードに移行してもよい。或いは、ＵＥ１０は、ＤＲＸ周期（例えば、拡張ＤＲＸ周期）を解除して、ＤＲＸ周期よりも短いＤＲＸ周期（例えば、ショートＤＲＸ周期、ロングＤＲＸ周期及び連続受信）を構成してもよい。或いは、ＵＥ１０は、ＤＲＸ周期を解除して、ｅＮＢ１１０に対する再接続手順（Ｒｅｅｓｔａｂｌｉsｈ  Ｐｒｏｃｅｄｕｒｅ）を開始してもよい。
【００７７】
（作用及び効果）
実施形態では、ｅＮＢ１１０は、サービングセルから送信される下り方向信号を監視すべきオン期間以外の期間（すなわち、オフ期間）において、ページング信号を所定のタイミングで送信し、ＵＥ１０は、サービングセルから送信される下り方向信号を監視すべきオン期間以外の期間（すなわち、オフ期間）において、ページング信号を所定のタイミングで監視する。
【００７８】
これによって、非常に長いＤＲＸ周期が構成されたとしても、サービングセルから送信される下り方向信号を監視すべきオン期間以外の期間（すなわち、オフ期間）においてページング信号を受信することによって、着信処理を行うことができる。
【００７９】
特に、非常に長いＤＲＸ周期を有する拡張ＤＲＸ周期が構成された場合に、サービングセルから送信される下り方向信号を監視すべきオン期間以外の期間（すなわち、オフ期間）において、ページング信号を所定のタイミングで監視することが効果的である。
【００８０】
上述したように、拡張ＤＲＸ周期は、所定メッセージの送受信の頻度がＲＲＣアイドル状態においてページング信号を監視する周期（Ｐａｇｉｎｇ  Ｃｈａｎｎｅｌ  Ｍｏｎｉｔｏｒｉｎｇ  Ｃｙｃｌｅ）よりも長い場合に、ＵＥ１０の頻繁なＲＲＣ状態の遷移を抑制して、ネットワークリソースの逼迫を抑制するために構成される。
【００８１】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００８２】
例えば、拡張ＤＲＸ周期は、所定メッセージの送受信の頻度がＲＲＣアイドル状態においてページング信号を監視する周期（Ｐａｇｉｎｇ  Ｃｈａｎｎｅｌ  Ｍｏｎｉｔｏｒｉｎｇ  Ｃｙｃｌｅ）よりも長い場合に、ＵＥ１０の消費電力を削減するために構成される。或いは、拡張ＤＲＸ周期は、サービングセルから送信される下り方向信号を監視すべきオン期間で必要な消費電力がページング信号の監視に必要な消費電力よりも大きい場合に、ＵＥ１０の消費電力を削減するために構成される。
【００８３】
実施形態では特に触れていないが、サービングセルから送信される下り方向信号を監視すべきオン期間以外の期間（すなわち、オフ期間）において、ページング信号を監視するために必要な構成（Ｃｏｎｆｉｇｕｒｅａｔｉｏｎ）は、ｅＮＢ１１０からＵＥ１０に対して、ＤＲＸ周期が構成される前に送信される。ページング信号を監視するために必要な構成は、例えば、ページング信号を監視する処理を開始する条件、サービングセルから送信される下り方向信号を監視すべきオン期間以外の期間（すなわち、オフ期間）におけるページング信号の監視周期などである。ページング信号を監視するために必要な構成は、例えば、ＲＲＣシグナリングでＵＥ１０に通知されてもよく、報知チャネルでＵＥ１０に通知されてもよい。報知チャネルは、ｅＮＢ１１０から報知されるチャネルであり、ＭＩＢ（Ｍａｓｔｅｒ  Ｉｎｆｏｒｍａｔｉｏｎ  Ｂｌｏｃｋ）やＳＩＢ（Ｓｙｓｔｅｍ  Ｉｎｆｏｒｍａｔｉｏｎ  Ｂｌｏｃｋ）を搬送する。
【００８４】
一例としては、ＤＲＸ周期（特に、拡張ＤＲＸ周期）が構成される場合において、ＵＥ１０からｅＮＢ１１０に対して、ＤＲＸ周期の設定要求が送信されて、ｅＮＢ１１０からＵＥ１０に対して、ＤＲＸ周期の設定許可が送信されるケースが考えられる。このようなケースにおいて、ページング信号を監視するために必要な構成は、ｅＮＢ１１０からＵＥ１０に送信される設定許可に含まれると考えられる。
【００８５】
実施形態では特にふれていないが、拡張ＤＲＸ周期は、ページング信号を監視する周期（Ｐａｇｉｎｇ  Ｃｈａｎｎｅｌ  Ｍｏｎｉｔｏｒｉｎｇ  Ｃｙｃｌｅ）を含んでいる場合に、ページング信号を監視するタイミングがオン期間と重複する場合に、ＰＤＣＣＨを監視して、ページング信号を監視するタイミングがオフ期間と重複する場合に、ページング信号のみを監視してもよい。
【００８６】
なお、ページング信号を受信するためには、専用のＰＤＣＣＨを受信する必要があるが、実施形態では、このような専用のＰＤＣＣＨの受信については省略されている。
【産業上の利用可能性】
【００８７】
本発明によれば、拡張ＤＲＸ周期などのＤＲＸ周期が構成される場合において、オフ期間の長期化に伴う問題を抑制することを可能とする移動通信方法及び無線端末を提供することができる。
【図１】
2012137296.tif 000003
【図２】
2012137296.tif 000004
【図３】
2012137296.tif 000005
【図４】
2012137296.tif 000006
【図５】
2012137296.tif 000007
【図６】
2012137296.tif 000008
【図７】
2012137296.tif 000009
【図８】
2012137296.tif 000010
【国際調査報告】
2012137296.tif 000011
2012137296.tif 000012
2012137296.tif 000013
2012137296.tif 000014